(57)【要約】【課題】コネクタを、本体電気接点がメモリ電気接点に向かい合う位置に、確実に位置させることができる画像形成装置を提供すること。【解決手段】  画像形成装置１は、開口７を介して画像形成装置１に対して着脱可能な現像カートリッジと、開口を開閉するためのカバー８に支持されるコネクタとを備える。現像カートリッジは、メモリ電気接点４２を有する。コネクタは、メモリ電気接点４２と電気的に接続可能な本体電気接点４８を有する。コネクタは、本体電気接点４８とメモリ電気接点４２とが向かい合う方向と、コネクタの移動方向との両方と直交する軸方向において、現像カートリッジと当接可能な第１当接部６１および第２当接部６２を備える。【選択図】図７
2017181885.tif 000002
【特許請求の範囲】
【請求項１】
開口を有する本体ケーシングと、
前記開口を開放する開位置と前記開口を閉鎖する閉位置との間を移動方向に移動可能なカバーと、
メモリ電気接点を有する記憶媒体を備え、前記開口を介して前記本体ケーシングに対して着脱可能なカートリッジと、
前記カバーに支持されるコネクタであって、
前記カートリッジが前記本体ケーシングに装着され、かつ、前記カバーが前記閉位置に位置するときに、前記メモリ電気接点と対向方向において対向し、前記メモリ電気接点に電気的に接続される本体電気接点であって、前記移動方向に沿って延びる本体電気接点と、
前記カートリッジが前記本体ケーシングに装着されているときに、前記対向方向と前記移動方向の両方と直交する直交方向において、前記カートリッジと当接する当接部と、
を備えるコネクタと
を備えることを特徴とする、画像形成装置。
【請求項２】
前記当接部は、第１当接部と、第２当接部と、を備え、
前記本体電気接点は、前記直交方向において、前記第１当接部と前記第２当接部との間に位置することを特徴とする、請求項１に記載の画像形成装置。
【請求項３】
前記当接部は、前記直交方向において、前記コネクタから突出することを特徴とする、請求項１または２に記載の画像形成装置。
【請求項４】
前記カートリッジは、前記カートリッジが前記本体ケーシングに装着され、かつ、前記カバーが前記閉位置に位置するときに、前記当接部と当接する壁であって、前記対向方向に延びる壁を備えることを特徴とする、請求項１に記載の画像形成装置。
【請求項５】
前記壁は、第１壁と、第２壁とを備え、
前記メモリ電気接点は、前記第１壁と前記第２壁との間に位置することを特徴とする、請求項４に記載の画像形成装置。
【請求項６】
前記壁は、
前記移動方向に向かうにつれて前記メモリ電気接点に向かって傾斜する第１面と、
前記移動方向において前記第１面の下流端に連続し、前記移動方向に沿って延びる第２面と
を有することを特徴とする、請求項４または５に記載の画像形成装置。
【請求項７】
前記壁は、前記対向方向において、前記カートリッジの外面から突出し、
前記壁は、前記対向方向において、前記外面に近づくにつれて、前記メモリ電気接点に近づくように傾斜する傾斜面を有することを特徴とする、請求項４〜６のいずれか一項に記載の画像形成装置。
【請求項８】
前記壁は、前記移動方向における上流側端部と、前記移動方向における下流側端部とを有し、
前記上流側端部は、前記直交方向において前記メモリ電気接点に対して間隔を隔てて位置し、
前記対向方向において、前記壁の寸法は、前記上流側端部において最も長いことを特徴とする、請求項４〜７のいずれか一項に記載の画像形成装置。
【請求項９】
前記コネクタは、前記カバーに対して、前記直交方向に移動可能であることを特徴とする、請求項１〜８のいずれか一項に記載の画像形成装置。
【請求項１０】
前記カバーは、コネクタを支持するホルダを備え、
前記コネクタは、前記ホルダに対して、前記直交方向に移動可能であることを特徴とする、請求項１〜９のいずれか一項に記載の画像形成装置。
【請求項１１】
前記ホルダは、前記コネクタの移動方向に延びる長穴を有し、
前記コネクタは、前記長穴に嵌まるボスを有することを特徴とする、請求項１０に記載の画像形成装置。
【発明の詳細な説明】
【技術分野】
【０００１】
本発明は、画像形成装置に関する。
【背景技術】
【０００２】
従来、画像形成装置に対して着脱可能なカートリッジを備える画像形成装置が知られている。このような画像形成装置において、画像形成装置とカートリッジとの通信により、画像形成装置がカートリッジの情報を読み取ることが知られている。
【０００３】
例えば、画像形成装置に対して着脱可能なプロセスカートリッジと、画像形成装置とを通信させることが知られている。プロセスカートリッジは、メモリを備える。画像形成装置は、メモリと電気的に接続可能な接点を備える。メモリと接点とは、画像形成装置のカートリッジドアを閉鎖するときに、接触する。カートリッジドアは、プロセスカートリッジを画像形成装置に対して着脱するときに、開閉される（下記特許文献１参照。）。
【先行技術文献】
【特許文献】
【０００４】
【特許文献１】特開２００４−６１５９６号公報
【発明の概要】
【発明が解決しようとする課題】
【０００５】
特許文献１のような画像形成装置において、カートリッジドアに接点を設けることが検討される。
【０００６】
この場合、カートリッジドアとともに接点が移動するので、プロセスカートリッジのメモリに対する接点の位置を決めることが困難な場合がある。
【０００７】
そこで、本開示の目的は、コネクタを、本体電気接点がメモリ電気接点に向かい合う位置に、確実に位置させることができる画像形成装置を提供することにある。
【課題を解決するための手段】
【０００８】
（１）本発明の画像形成装置は、開口を有する本体ケーシングと、開口を開放する開位置と開口を閉鎖する閉位置との間を移動方向に移動可能なカバーと、開口を介して本体ケーシングに対して着脱可能なカートリッジと、カバーに支持されるコネクタと、を備える。
【０００９】
カートリッジは、メモリ電気接点を有する記憶媒体を備える。
【００１０】
コネクタは、移動方向に沿って延びる本体電気接点と、当接部と、を備える。本体電気接点は、カートリッジが本体ケーシングに装着され、かつ、カバーが閉位置に位置するときに、メモリ電気接点と対向方向において対向し、メモリ電気接点に電気的に接続される。当接部は、カートリッジが本体ケーシングに装着されているときに、対向方向と移動方向の両方と直交する直交方向において、カートリッジと当接する。
【００１１】
このような構成によれば、カバーを閉位置に位置させるときに、カバーに支持されるコネクタの当接部とカートリッジとの当接により、直交方向において、コネクタの位置を補正することができる。その結果、コネクタを、本体電気接点がメモリ電気接点に向かい合う位置に、確実に位置させることができる。
【発明の効果】
【００１２】
本発明の画像形成装置は、コネクタを、本体電気接点がメモリ電気接点に向かい合う位置に、確実に位置させることができる。
【図面の簡単な説明】
【００１３】
【図１】図１は、本発明の画像形成装置の一実施形態を示す概略構成図である。
【図２】図２は、図１に示すカバーの斜視図である。
【図３】図３Ａは、図２に示すコネクタの斜視図である。図３Ｂは、図３Ａに示すコネクタを別の方向から見た斜視図である。
【図４】図４は、図１に示す現像カートリッジの側面図である。
【図５】図５は、図４に示す現像カートリッジを別の方向から見た側面図である。
【図６】図６は、コネクタの移動を説明するための説明図である。
【図７】図７は、図６に続き、コネクタの移動を説明するための説明図である。
【図８】図８は、図７に続き、コネクタの移動を説明するための説明図である。
【発明を実施するための形態】
【００１４】
１．画像形成装置の概略
図１に示すように、画像形成装置１は、画像形成部１００へ用紙を供給する給紙部２００と、給紙部２００から供給された用紙上に画像を形成する画像形成部１００と、画像形成部で画像が形成された用紙を排出する排紙部３００と、開口７Ａを有するとともに画像形成部１００を収容する本体ケーシング７と、開口７Ａを開閉するカバー８と、を備える。
【００１５】
カバー８は、開口７Ａを開放する開位置と、開口７Ａを閉鎖する閉位置との間を移動可能である。カバー８は、本体ケーシング７に回動可能に支持される一端部８Ａと、他端部８Ｂと、を有する。カバー８が閉位置に位置するときの一端部８Ａから他端部８Ｂへ向かう方向を所定方向と定義する。尚、開口７Ａは、本体ケーシング７の上方に形成されている。
【００１６】
画像形成部１００は、複数の現像カートリッジ２Ｋ，２Ｙ，２Ｍ，２Ｃと、複数の感光ドラム６Ｋ，６Ｙ，６Ｍ，６Ｃと、を備える。すなわち、画像形成装置１は、複数の現像カートリッジ２Ｋ，２Ｙ，２Ｍ，２Ｃと、複数の感光ドラム６Ｋ，６Ｙ，６Ｍ，６Ｃと、を備える。
【００１７】
複数の現像カートリッジ２Ｋ，２Ｙ，２Ｍ，２Ｃは、それぞれ、収容される現像剤の色が異なる以外、同じ構造を有する。そこで、以下の説明において、現像カートリッジ２Ｋの構造について詳細に説明し、現像カートリッジ２Ｙ、２Ｍ，２Ｃについて、現像カートリッジ２Ｋと同じ構造についての説明を省略する。現像カートリッジ２Ｋは、筐体４と、現像ローラ５とを備える。筐体４は、現像剤を収容可能である。筐体４は、中空の角筒形状を有する。現像ローラ５は、軸方向に延びる軸について回転可能である。軸方向は、所定方向と直交する。現像ローラ５は、筐体４の一端部に位置する。現像ローラ５は、円柱形状を有する。現像ローラ５の周面の一部は、筐体４の外側に露出している。
【００１８】
複数の感光ドラム６Ｋ，６Ｙ，６Ｍ，６Ｃは、対応する現像カートリッジ２Ｋ，２Ｙ，２Ｍ，２Ｃが異なる以外、同じ構造を有する。そこで、以下の説明において、感光ドラム６Ｋの構造について詳細に説明し、感光ドラム６Ｙ，６Ｍ，６Ｃについて、感光ドラム６Ｋと同じ構造についての説明を省略する。感光ドラム６Ｋは、軸方向に延びる軸について回転可能である。感光ドラム６Ｋは、ドラムカートリッジ３Ｋに設けられている。ドラムカートリッジ３Ｋには、現像カートリッジ２Ｋが装着可能である。感光ドラム６Ｋには、現像カートリッジ２Ｋがドラムカートリッジ３Ｋに装着されたときに、現像カートリッジ２Ｋの現像ローラ５が接触する。
【００１９】
現像カートリッジ２Ｋとドラムカートリッジ３Ｋは、カバー８が開位置に位置するときに、開口７Ａを介して、本体ケーシング７に着脱可能である。
【００２０】
２．画像形成装置の詳細
図２に示すように、画像形成装置１は、さらに、複数のコネクタ４３Ｋ，４３Ｙ，４３Ｍ，４３Ｃと、複数のホルダ４４Ｋ，４４Ｙ，４４Ｍ，４４Ｃと、を備える。
【００２１】
２．１  コネクタ
コネクタ４３Ｋ，４３Ｙ，４３Ｍ，４３Ｃは、それぞれ、接続される現像カートリッジが異なる以外、同じ構造を有する。そこで、以下の説明において、コネクタ４３Ｋの構造について詳細に説明し、コネクタ４３Ｙ,４３Ｍ,４３Ｃについて、コネクタ４３Ｋと同じ構造についての説明を省略する。コネクタ４３Ｋは、カバー８に支持される。
【００２２】
コネクタ４３Ｋは、図３Ａおよび図３Ｂに示すように、第１部分４５、第２部分４６、第３部分４７、本体電気接点４８、および、第３部分４７に設けられる複数のボス４９を備える。
【００２３】
第１部分４５および第２部分４６は、カバー８が開位置から閉位置に移動する移動方向と交差する対向方向において、互いに間隔を隔てて位置する。なお、対向方向は、本体電気接点４８と後述する現像カートリッジ２Ｋのメモリ電気接点４２が向かい合う方向である。軸方向は、対向方向と移動方向の両方と直交する直交方向である。第１部分４５および第２部分４６は、移動方向に延びる。
【００２４】
２．１．１  第１部分
第１部分４５は、対向方向において、第２部分４６に向かい合う面４５Ａを有する。面４５Ａは、カバー８が閉位置に位置したときに、対向方向において、後述する現像カートリッジ２Ｋのギアカバー１３の外面１３Ａ（図４参照）に向かい合う。第１部分４５は、２つの第１当接部６１と、２つの第２当接部６２とを有する。すなわち、コネクタ４３Ｋは、カートリッジ２Ｋが本体ケーシング７に装着されているときに、軸方向において、カートリッジと当接する当接部６１，６２を有する。
【００２５】
２つの第１当接部６１は、後述する現像カートリッジ２Ｋの第１壁３１（図４参照）に当接可能である。２つの第２当接部６２は、後述する現像カートリッジ２Ｋの第２壁３２（図４参照）に当接可能である。
【００２６】
２つの第１当接部６１は、軸方向において、第１部分４５の一方の側面に位置する。２つの第２当接部６２は、軸方向において、第１部分４５の他方の側面に位置する。２つの第２当接部６２は、軸方向において、２つの第１当接部６１に対して間隔を隔てて位置する。軸方向において、２つの第１当接部６１と２つの第２当接部６２との間には、本体電気接点４８が位置する。
【００２７】
２つの第１当接部６１は、それぞれ、軸方向において、第１部分４５の一方の側面から突出する。２つの第１当接部６１は、それぞれ、移動方向に延びる。２つの第１当接部６１は、対向方向において、並んで位置する。２つの第１当接部６１は、対向方向において、互いに間隔を隔てて位置する。移動方向において、２つの第１当接部６１のそれぞれの下流側の端部は、下流側へ向かうにつれて、第１部分４５の一方の側面に向かって傾斜する。より詳しくは、第１当接部６１は、上流端と、移動方向において上流端と反対側の下流端と、を有する。第１当接部６１の下流端と第１部分４５の一方の側面との距離は、第１当接部６１の上流端と第１部分４５の一方の側面との距離よりも小さい。
【００２８】
２つの第２当接部６２は、それぞれ、軸方向において、第１部分４５の他方の側面から突出する。２つの第２当接部６２は、それぞれ、移動方向に延びる。２つの第２当接部６２は、対向方向において、並んで位置する。２つの第２当接部６２は、対向方向において、互いに間隔を隔てて位置する。移動方向において、２つの第２当接部６２のそれぞれの下流側の端部は、下流側へ向かうにつれて、第１部分４５の他方の側面に向かって傾斜する。より詳しくは、第２当接部６１は、上流端と、移動方向において上流端と反対側の下流端と、を有する。第２当接部６１の下流端と第１部分４５の他方の側面との距離は、第２当接部６１の上流端と第１部分４５の他方の側面との距離よりも小さい。
【００２９】
２．１．２  第３部分
第３部分４７は、対向方向において、第１部分４５と第２部分４６との間に位置する。第３部分４７は、対向方向に延びる。第３部分４７は、第１部分４５および第２部分４６に連続する。
【００３０】
２．１．３  本体電気接点
本体電気接点４８は、面４５Ａに位置する。詳しくは、本体電気接点４８は、対向方向において、面４５Ａから第２部分４６へ向かって突出する。本体電気接点４８は、移動方向に延びる。本体電気接点４８は、現像カートリッジ２Ｋが本体ケーシング７に装着され、かつ、カバー８が閉位置に位置するときに、メモリ電気接点４２に電気的に接続される。
【００３１】
２．１．４  複数のボス
複数のボス４９は、軸方向において、第３部分４７の側面から突出する。複数のボス４９は、軸方向において、第３部分４７の一方側の側面に１つ、第３部分４７の他方側の側面に２つ、設けられる。
【００３２】
２．２  ホルダ
ホルダ４４Ｋ,４４Ｙ,４４Ｍ,４４Ｃは、それぞれ、支持するコネクタが異なる以外、同じ構造を有する。そこで、以下の説明において、ホルダ４４Ｋの構造について詳細に説明し、ホルダ４４Ｙ,４４Ｍ,４４Ｃについて、ホルダ４４Ｋと同じ構造についての説明を省略する。ホルダ４４Ｋは、コネクタ４３Ｋを支持する。ホルダ４４Ｋは、カバー８に支持される。言い換えると、カバー８は、ホルダ４４Ｋを備える。詳しくは、カバー８は、複数の開口を有する。ホルダ４４Ｋは複数の開口の１つに挿入される。これにより、コネクタ４３Ｋは、ホルダ４４Ｋを介して、カバー８に支持される。
【００３３】
図３Ａおよび図３Ｂに示すように、ホルダ４４Ｋは、筒部５１と、突出部５３と、複数の長穴５２とを有する。
【００３４】
筒部５１は、移動方向に延びる。筒部５１は、角筒形状を有する。詳しくは、筒部５１は、開口５４を有する。開口５４は、筒部５１を移動方向に貫通する。開口５４内には、コネクタ４３Ｋの第３部分４７が位置する。第３部分４７は、開口５４の内周面に対して、間隔を隔てて位置する。これにより、コネクタ４３Ｋは、ホルダ４４Ｋに対して、軸方向に移動可能である。また、コネクタ４３Ｋは、カバー８に対して、軸方向に移動可能である。また、筒部５１は、カバー８の複数の開口５０（図６参照）のうちの１つに挿通されている。筒部５１は、軸方向において、開口５０の内周面との間に間隔を有する。これにより、ホルダ４４Ｋは、カバー８に対して、軸方向に移動可能である。
【００３５】
突出部５３は、筒部５１の外周面から、軸方向および並び方向に突出する。突出部５３は、カバー８の開口５０の縁に接触している。これにより、ホルダ４４Ｋは、カバー８に支持される。
【００３６】
複数の長穴５２は、軸方向において、ホルダ４４Ｋの周壁に位置する。複数の長穴５２は、軸方向において、ホルダ４４Ｋの周壁を貫通する。複数の長穴５２は、軸方向において、一方側の周壁に１つ、他方側の周壁に２つ、設けられる。複数の長穴５２は、移動方向に延びる。複数の長穴５２のそれぞれには、複数のボス４９の１つが嵌まっている。これにより、コネクタ４３Ｋは、ホルダ４４Ｋに対して、移動方向に移動可能である。
【００３７】
３．現像カートリッジの詳細
図４および図５に示すように、現像カートリッジ２Ｋは、さらに、ギアカバー１３と、メモリ電気接点４２を有する記憶媒体４１と、を備える。
【００３８】
３．１  ギアカバー
ギアカバー１３は、軸方向において、筐体４の側面に取り付けられる。ギアカバー１３は、現像ローラ５へ駆動力を伝達するギア列を被覆する。ギアカバー１３は、移動方向において、一端部と、他端部とを有する。他端部は、移動方向において、一端部よりも現像ローラ５から遠くに位置する。
【００３９】
ギアカバー１３は、第１壁３１と、第２壁３２とを備える。第１壁３１および第２壁３２は、外面１３Ａに位置する。第２壁３２は、軸方向において、第１壁３１に対して、間隔を隔てて位置する。軸方向において、第１壁３１と第２壁３２との間には、記憶媒体４１が位置する。すなわち、メモリ電気接点４２は、第１壁３１と第２壁３２との間に位置する。第１壁３１は、カートリッジ２Ｋが本体ケーシング７に装着されかつ、カバー８が閉位置に位置しているときに、コネクタ４３Ｋの第１当接部６１に当接する。第２壁３１は、カートリッジ２Ｋが本体ケーシング７に装着されかつ、カバー８が閉位置に位置しているときに、コネクタ４３Ｋの第２当接部６２に当接する。
【００４０】
３．１．１  第１壁
第１壁３１は、軸方向において、記憶媒体４１のメモリ電気接点４２と筐体４との間に位置する。第１壁３１は、軸方向において、メモリ電気接点４２に対して、間隔を隔てて位置する。第１壁３１は、対向方向において、外面１３Ａから突出する。すなわち、第１壁３１は、対向方向に延びる。また、第１壁３１は、移動方向に延びる。第１壁３１は、移動方向において、上流側の端部と、下流側の端部とを有する。対向方向において、第１壁の寸法Ｌ（図５参照）は、移動方向における上流側の端部において、最も長い。なお、第１壁の寸法Ｌは、外面１３Ａと、第１壁３１が突出する方向における第１壁３１の先端部との距離である。第１壁３１は、第１面３１Ａと、第２面３１Ｂと、傾斜面３１Ｃとを備える。
【００４１】
第１面３１Ａは、第１壁３１の上流側の端部に位置する。第１面３１Ａは、軸方向において、第２壁３２に向かい合う。第１面３１Ａは、軸方向において、メモリ電気接点４２に対して、間隔を隔てて位置する。第１面３１Ａは、移動方向の下流側へ向かうにつれて、メモリ電気接点４２に近づくように傾斜する。より詳しくは、第１面３１Ａは、上流端と、移動方向において上流端と反対側の下流端と、を有する。軸方向における第１面３１Ａの上流端とメモリ電気接点４２との距離は、軸方向における第１面３１Ａの下流端とメモリ電気接点４２との距離よりも大きい。
【００４２】
第２面３１Ｂは、移動方向において、第１面３１Ａと並んで配置されている。第２面３１Ｂは、移動方向において、第１面３１Ａの下流端に連続する。第２面３１Ｂは、移動方向に延びる。より詳しくは、第２面３１Ｂは、上流端と、移動方向において上流端と反対側の下流端と、を有する。軸方向における第２面３１Ｂの上流端とメモリ電気接点４２との距離は、軸方向における第２面３１Ｂの下流端とメモリ電気接点４２との距離と等しい。また、移動方向において、第２面３１Ｂの下流端は、メモリ電気接点４２よりも下流側に位置する。
【００４３】
傾斜面３１Ｃは、第１壁３１が突出する方向において、第１壁３１の先端部に位置する。傾斜面３１Ｃは、対向方向において、外面１３Ａに近づくにつれて、メモリ電気接点４２に近づくように、傾斜する。より詳しくは、傾斜面３１Ｃは、軸方向において、メモリ電気接点４２に近い第１端と、第１端と反対側の第２端と、を有する。対向方向における傾斜面３１Ｃの第１端とメモリ電気接点４２との距離は、対向方向における傾斜面３１Ｃの第２端とメモリ電気接点４２との距離より小さい。
【００４４】
３．１．２  第２壁
第２壁３２は、軸方向において、メモリ電気接点４２に対して、間隔を隔てて位置する。第２壁３２は、交差方向において、外面１３Ａから突出する。すなわち、第２壁３２は、対向方向に延びる。第２壁３２は、移動方向に延びる。第２壁３２は、移動方向において、上流側の端部と、下流側の端部とを有する。対向方向において、第２壁の寸法は、第１壁の寸法Ｌと同じである。第２壁３２は、第１面３２Ａと、第２面３２Ｂと、傾斜面３２Ｃとを備える。
【００４５】
第１面３２Ａは、移動方向において、第２壁３２の上流側の端部に位置する。第１面３２Ａは、軸方向において、第１壁３１の第１面３１Ａに向かい合う。第１面３２Ａは、軸方向において、メモリ電気接点４２に対して、間隔を隔てて位置する。第１面３２Ａは、移動方向の下流側へ向かうにつれて、メモリ電気接点４２に近づくように傾斜する。より詳しくは、第１面３２Ａは、上流端と、移動方向において上流端と反対側の下流端と、を有する。軸方向における第２面３１Ａの上流端とメモリ電気接点４２との距離は、軸方向における第２面３１Ａの下流端とメモリ電気接点４２との距離よりも大きい。
【００４６】
第２面３２Ｂは、移動方向において、第１面３２Ａと並んで配置されている。第２面３２Ｂは、移動方向において、第１面３２Ａの下流端に連続する。第２面３２Ｂは、移動方向に延びる。より詳しくは、第２面３２Ｂは、上流端と、移動方向において上流端と反対側の下流端と、を有する。軸方向における第２面３２Ｂの上流端とメモリ電気接点４２との距離は、軸方向における第２面３２Ｂの下流端とメモリ電気接点４２との距離と等しい。また、移動方向において、第２面３２Ｂの下流端は、メモリ電気接点４２よりも下流側に位置する。第２面３２Ｂは、軸方向において、第１壁３１の第２面３１Ｂに向かい合う。
【００４７】
傾斜面３２Ｃは、第２壁３２が突出する方向において、第２壁３２の先端部に位置する。傾斜面３２Ｃは、対向方向において、外面１３Ａに近づくにつれて、メモリ電気接点４２に近づくように、傾斜する。より詳しくは、傾斜面３２Ｃは、軸方向において、メモリ電気接点４２に近い第１端と、第１端と反対側の第２端と、を有する。対向方向における傾斜面３２Ｃの第１端とメモリ電気接点４２との距離は、対向方向における傾斜面３２Ｃの第２端とメモリ電気接点４２との距離より小さい。
【００４８】
３．２  記憶媒体
記憶媒体４１は、カバー８が閉位置に位置したときに、本体電気接点４８に向かい合う位置に位置する。記憶媒体４１は、移動方向に延びる。記憶媒体４１は、ギアカバー１３Ａの他端部に支持される。記憶媒体４１は、ＩＣチップである。記憶媒体４１は、その表面にメモリ電気接点４２を有する。記憶媒体４１は、現像カートリッジ２Ｋに関する情報を記憶する。現像カートリッジ２Ｋに関する情報は、例えば、現像カートリッジ２Ｋが収容する現像剤の色に関する情報、現像カートリッジ２Ｋが新品であるから旧品であるかに関する情報、現像カートリッジ２Ｋが印刷可能な用紙の枚数に関する情報などである。
【００４９】
４．コネクタと記憶媒体との接続
図６から図８を参照して、コネクタ４３Ｋの本体電気接点４８と、現像カートリッジ２Ｋの記憶媒体４１のメモリ電気接点４２とが電気的に接続する動作について説明する。
【００５０】
カバー８の開位置から閉位置への移動に伴って、図６に示すように、コネクタ４３Ｋが、ギアカバー１３の他端部に接触する。
【００５１】
このとき、コネクタ４３Ｋは、軸方向において、第１壁３１の第２面３１Ｂと、第２壁３２の第２面３２Ｂとの間に対して、異なる位置に位置する場合がある。具体的には、コネクタ４３Ｋは、軸方向において、第１壁３１の第２面３１Ｂと、第２壁３２の第２面３２Ｂとの間に対して、第１壁３１の近くに偏って位置する場合がある。その場合、コネクタ４３Ｋの２つの第１当接部６１は、移動方向において、第１壁３１の第１面３１Ａに当接する。すると、コネクタ４３Ｋの第１部分４５は、第１面３１Ａの傾斜により、移動方向に移動するにつれて、第２壁３２に向かって移動する。これにより、図７に示すように、コネクタ４３Ｋの第１部分４５は、第１壁３１の第２面３１Ｂと、第２壁３２の第２面３２Ｂとの間に導かれる。
【００５２】
このとき、コネクタ４３Ｋの２つの第１当接部６１は、軸方向において、第１壁３１の第２面３１Ｂに向かい合う。また、コネクタ４３Ｋの２つの第２当接部６２は、軸方向において、第２壁３２の第２面３２Ｂに向かい合う。なお、２つの第１当接部６１は、第１壁３１の第２面３１Ｂに当接してもよく、また、第１壁３１の第２面３１Ｂに対してわずかに間隔を隔ててもよい。また、２つの第２当接部６２は、第２壁３２の第２面３２Ｂに当接してもよく、また、第２壁３２の第２面３２Ｂに対してわずかに間隔を隔ててもよい。２つの第１当接部６１が第１壁３１の第２面３１Ｂに当接するか、または、２つの第２当接部６２が第２壁３２の第２面３２Ｂに当接していればよい。
【００５３】
その後、コネクタ４３Ｋがさらに移動方向に移動すると、コネクタ４３Ｋの第１部分４５は、第１壁３１の第２面３１Ｂと、第２壁３２の第２面３２Ｂとの間を移動方向に移動する。すると、カバー８が閉位置に位置する。このとき、図８に示すように、本体電気接点４８（図３Ａ参照）は、対向方向において、メモリ電気接点４２（図４参照）に対して、向かい合い、メモリ電気接点４２と接触する。
【００５４】
これにより、コネクタ４３Ｋと、現像カートリッジ２Ｋの記憶媒体４１との電気的な接続が完了する。
【００５５】
６．作用効果
この画像形成装置１によれば、図６および図７に示すように、カバー８を閉位置に位置させるときに、コネクタ４３Ｋの２つの第１当接部６１と現像カートリッジ２Ｋの第１壁３１との当接、または、コネクタ４３Ｋの２つの第２当接部６２と現像カートリッジ２Ｋの第２壁３２との当接により、軸方向において、コネクタ４３Ｋの位置を補正することができる。その結果、コネクタ４３Ｋを、本体電気接点４８がメモリ電気接点４２に向かい合う位置に、確実に位置させることができる。
【００５６】
また、図４に示すように、第１壁３１は、移動方向の上流側の端部において、第１面３１Ａを有し、第２壁３２は、移動方向の上流側の端部において、第１面３２Ａを有する。第１面３１Ａおよび第１面３２Ａは、それぞれ、移動方向の下流側へ向かうにつれて、記憶媒体４１に向かって傾斜する。
【００５７】
これにより、図６および図７に示すように、コネクタ４３Ｋの移動方向へ移動に伴って、円滑に、軸方向におけるコネクタ４３Ｋの位置を補正することができる。
【００５８】
また、図５に示すように、第１壁３１は、第１壁３１が突出する方向の先端部において、傾斜面３１Ｃを有し、第２壁３２は、第１壁３１が突出する方向の先端部において、傾斜面３２Ｃを有する。傾斜面３１Ｃおよび傾斜面３２Ｃは、それぞれ、外面１３Ａへ向かうにつれて、記憶媒体４１に向かって傾斜する。
【００５９】
これにより、コネクタ４３Ｋが、カバー８の回動に伴って円弧を描くように、第１壁３１および第２壁３２が突出する方向の先端側から、第１壁３１または第２壁３２に当接したとしても、軸方向において、コネクタ４３Ｋの位置を補正することができる。
【符号の説明】
【００６０】
１      画像形成装置
２Ｃ    現像カートリッジ
２Ｋ    現像カートリッジ
２Ｍ    現像カートリッジ
２Ｙ    現像カートリッジ
７      本体ケーシング
７Ａ    開口
８      カバー
１３Ａ  外面
３１    第１壁
３１Ａ  第１面
３１Ｂ  第２面
３１Ｃ  傾斜面
３２    第２壁
３２Ａ  第１面
３２Ｂ  第２面
３２Ｃ  傾斜面
４２    メモリ電気接点
４３Ｃ  コネクタ
４３Ｋ  コネクタ
４３Ｍ  コネクタ
４３Ｙ  コネクタ
４４Ｃ  ホルダ
４４Ｋ  ホルダ
４４Ｍ  ホルダ
４４Ｙ  ホルダ
４８    本体電気接点
４９    ボス
５２    穴
６１    第１当接部
６２    第２当接部
Ｌ      寸法
【図１】
2017181885.tif 000003
【図２】
2017181885.tif 000004
【図３】
2017181885.tif 000005
【図４】
2017181885.tif 000006
【図５】
2017181885.tif 000007
【図６】
2017181885.tif 000008
【図７】
2017181885.tif 000009
【図８】
2017181885.tif 000010